(57)【要約】      （修正有）【課題】あらゆる傾斜ライの練習が可能な、携帯式として軽量コンパクトにデザイン設計し、収納性を持たせる、ゴルフ練習用の傾斜台を提供する。【解決手段】長方楕円形状の平面板の長辺方向の中央部全長に中央が直線状で両端を斜めに切り落とした台形状の支柱を骨組みとする躯体構造から成り、本体中央部の支柱上部から外周方向に片流れ状の傾斜面を形成するため、中央山形状の長辺傾斜部に長方形状の平面板を貼り、また両端傾斜部に半円錐状の曲面板を貼り合わせて長方楕円山形状の異形曲面平体箱の本体が構成される。【選択図】図４
0003198348.tif 000002
【実用新案登録請求の範囲】
【請求項１】
長方楕円山形状の本体上部を使用者自らが方々移動することで、傾斜台本体を回転等の操作をすることなく、様々なライのスイングやショットの練習ができるゴルフ練習用の傾斜台。
【請求項２】
折りたたんで形状をコンパクトな横長ボストンバック状に可変でき、内部の空洞部分は様々な物品を収納して持ち運べる小物ケース及びゴルフバック機能を兼ね備えたゴルフ練習用の傾斜台。
【考案の詳細な説明】
【技術分野】
【０００１】ゴルフ練習用の傾斜台に関するものである。
【背景技術】
【０００２】従来のゴルフ練習用傾斜台は、一方向の片流れ式の傾斜台のみで、常に玉とスタンスのライが同じであり、様々なライに対応はしているが、ライを変更する際には傾斜台本体の回転作業等を必要する為、ライの変更が面倒であり、電動式においても何らかの操作をする必要があり、傾斜台を定位置に固定させてあらゆる傾斜ライの練習ができる器具はない。また玉とスタンスのライが異なる練習法では、傾斜台ではないが空気式のバランスマット等が存在するが、本件考案とは全く異なる用具であり、軽量コンパクトで持ち運びが容易な折りたたみ式の携帯型ゴルフ練習用傾斜台は存在しない。
【考案の開示】
【考案が解決しようとする課題】
【０００３】傾斜台本体を移動することなく、あらゆる傾斜ライからのゴルフ練習を可能とするゴルフの上達を助ける万能傾斜台を考案すること。【０００４】傾斜地からのゴルフスイングやショット練習の機能性を発揮しつつ、軽量コンパクトで持ち運びに便利な携帯型の折りたたみ式ゴルフ練習用傾斜台をデザイン設計し考案すること。
【課題を解決するための手段】
【０００５】当考案は、定着型で無回転式の軽量コンパクトな傾斜地用のゴルフ練習台の創作をテーマに、傾斜台としての機能部分のみを凝縮したデザイン設計を発想し発明したこと、そして長期に亘る使用実験において当傾斜台練習でのゴルフ上達効果を実証したこと。また持ち運び時に簡単に折りたたんでコンパクト化できる様に設計し携帯性と収納性を持たせたこと。
【考案の効果】
【０００６】本件傾斜台は各種ライからの足置き練習台としての利用以外にも、人工芝を貼り付けてボールを定着させることで傾斜地からの打球練習にも利用できる万能ゴルフ上達器具である。また玉とスタンス位置のライが異なる難易さが当考案の特徴でもあり、二個の傾斜台を使用して玉とスタンスのライを異なる傾斜にしたり芝質を変えて練習する事もでき、難易度を上げることで更に優れた練習効果を発揮する。何よりコンパクトな設計により手軽に持ち運べ、使用に際しても移動する手間が掛からないので気軽に練習場に持ち込んで使用でき、傾斜ショットを練習する機会も多くなり、コースのラウンドにおいて傾斜地からのショットの精度が向上することで、全てのショットの精度が向上し、ゴルフの上達を助けることができる。
【考案を実施するための最良の状態】
【０００７】本考案の材質は、人の体重を支持できる物質であれば別段の制限はないが、軽量で加工が容易な塩ビ樹脂等のプラスティックが望ましく、外形は、直角三角柱（辺長、高さ９０ｍｍ×奥行き２７０ｍｍ×幅５４０ｍｍ）の両端に平型円錐を縦に４等分した形状（辺長、高さ９０ｍｍ×奥行き２７０ｍｍ×幅２７０ｍｍ）を組み合わせた本体２個を双方横置きに高さ９０ｍｍの頂き部分を接合して成す山形状の長方楕円形状で、持ち運び易くする為に、最上部の接合部分を二つ折りにして三角錐柱状の両端に平型円錐を縦に４等分した形状２個を接合して組み合わせた「横長ボストンバッグ状」に形状を変化させることができる可変式のデザイン設計。（※高さに関しては、本件の９０ｍｍはＬサイズで、その他６０ｍｍのＭサイズや、３０ｍｍのＳサイズ等を有する携帯型のゴルフ練習用傾斜台。）表面傾斜部の仕様については、本体の塩ビ樹脂等を凸凹に加工して滑り止めを施しただけのノーマル仕様から、葉長の短い人工芝を貼り付けたフェアウェイ仕様や、葉長の長い人工芝を貼り付けたラフ仕様等、あらゆるコース内の状況を想定し様々に表面加工を施こしたものである。
【実施例】
【０００８】塩ビ樹脂製の部材を加工連結し、山形状で長方楕円形状の本件ゴルフ練習用傾斜台を製作（平置き設置時の各辺長、幅１０８０ｍｍ×奥行き５４０ｍｍ×高さ９０ｍｍ）端部は平型円錐を縦に二等分した半円錐形状（幅２７０ｍｍ×奥行き５４０ｍｍ×高さ９０ｍｍ）にて双端を形成した。そして当傾斜台最上部の接合部分を開放して底面中央の連結部分を二つに折りたたみ「横長ボストンバッグ状」の収納ケースを完成させた。【０００９】本件の傾斜台をスタンス用（足置き台）として使用し、左足下がり・左足上がり・つま先下がり・つま先上がり・左足下がりのつま先下がり・左足上がりのつま先下がり・左足下がりのつま先上がり・左足上がりのつま先上がり等、様々なライにおいてショット練習（玉のライは平坦）を実施したところ、先ず下半身をどっしり構えないと上手く打球できないことが判明、その後も練習を繰り返して行く内に徐々に下半身の安定度が増してきたこと、そしてスイング時の上下運動が軽減してきたこと、通常のショットの精度が上がったこと等が認められ、傾斜地からのショットの上達のみならず平坦地からのショット精度の向上にも繋がり、当考案がゴルフ上達を助ける練習器具であることを確認した。
【産業上の利用可能性】
【００１０】当考案は材質や構造がシンプルなので、製造コストが低いうえ物流性も良く、大量生産すれば低価格で販売することができる。またゴルフ以外にも歩行運動を始め前屈運動や背筋伸ばし運動等のストレッチ運動の他、様々なスポーツの練習を補助する携帯型の総合運動台として、今後世の中に普及する可能性のある一見簡素でありながら極めて合理的な形状の傾斜台なのである。
【図面の簡単な説明】
【００１１】
【図１】正面図・背面図
【図２】左・右の側面図
【図３】平面図・底面図
【図４】傾斜面等高線図
【図５】折りたたみ時の左・右側面図
【図６】折りたたみ時の正面図・背面図
【符号の説明】
【００１２】１  持ち手部分
【図１】
0003198348.tif 000003
【図２】
0003198348.tif 000004
【図３】
0003198348.tif 000005
【図４】
0003198348.tif 000006
【図５】
0003198348.tif 000007
【図６】
0003198348.tif 000008
【手続補正書】
【提出日】平成27年4月1日(2015.4.1)
【手続補正１】
【補正対象書類名】実用新案登録請求の範囲
【補正対象項目名】全文
【補正方法】変更
【補正の内容】
【実用新案登録請求の範囲】
【請求項１】
長方楕円形状の平面板の長辺方向の中央部全長に中央が直線状で両端を斜めに切り落とした台形状の支柱を骨組みとする躯体構造から成り、本体中央部の支柱上部から外周方向に片流れ状の傾斜面を形成するため、中央山形状の長辺傾斜部に長方形状の平面板を貼り、また両端傾斜部に半円錐状の曲面板を貼り合わせて長方楕円山形状の異形曲面平体箱の本体が構成される、一体型のゴルフ練習用の傾斜台。
【請求項２】
請求項１記載のゴルフ練習用の傾斜台の長方楕円形状の平面板と両端傾斜部の半円錐状の曲面板を長辺中央部から縦方向に切断して二等分し、台形状の骨組みの支柱を二本に増やすことで本体を二分割して独立化させ、二本の支柱と支柱、また支柱と長方楕円形状の平面板の切半板をそれぞれ蝶番を取り付けて接合した構造で、山形突端部の表面を外周方向の片流れ状に形成するため、中央の長辺傾斜部に長方形状の平面板を貼り、また両端半円錐状の傾斜部に上記半円錐状を二等分した４分の１円錐形状の曲面板を貼り合わせて、長方楕円山形状の異形曲面平体箱の本体が構成され、中央突端部から開離して二つに折りたためるコンパクトな横長ボストンバック形状への可変式とした、請求項１記載のゴルフ練習用の傾斜台。